(57)【要約】      （修正有）【課題】平面の外、筒面や錐状面などの内外壁面に各種形状のマーキングや描線、描画などを可能とするテンプレートを提供する。【解決手段】所定同一厚みの平板形状とした軟質合成樹脂製シート状本体２外周縁を描線用外周縁２０にすると共に、同シート状本体２適所には、描線用孔縁３１付きの刳り貫き孔３，３，……複数個を個々独立配置となるよう点在状に組み合わせ、肉厚方向に貫通形成し、且つ、描線用孔縁３１付きの誘導文字・記号・符号孔３０，３０，……複数個を個々独立配置となるよう配列、点在状に組合せ、肉厚方向に貫通形成し、それら描線用外周縁２０および各描線用孔縁３１，３１，……の夫々に段差部４を刻設したものとなし、一方向断面が曲線形で、それに直交する方向の断面が直線形をなす筒状面に対しても夫々密着状に変形、重ね合わせ可能なものとした製図用可撓テンプレート１である。【選択図】図３
0003167380.tif 000002
【実用新案登録請求の範囲】
【請求項１】
所定同一厚みの平板形状とした軟質合成樹脂製シート状本体外周縁の一部または全部を描線用外周縁にすると共に、同シート状本体適所には、各種輪郭図形とした描線用孔縁付きの刳り貫き孔複数個を個々独立配置となるよう点在状に組み合わせ、肉厚方向に貫通形成し、それら描線用外周縁および各描線用孔縁の夫々には、当該シート状本体肉厚方向断面において、同一面がわに段差部を刻設したものとなし、描線対象物の平坦面だけではなく、一方向断面が曲線形で、それに直交する方向の断面が直線形をなす筒状面に対しても夫々密着状に変形、重ね合わせ可能とし、それら描線用外周縁および各描線用孔縁を案内として平坦面または二次曲面何れの面への直線または所望輪郭図形の描線が可能になるものとしたことを特徴とする製図用可撓テンプレート。
【請求項２】
所定同一厚みの平板形状とした軟質且つ透明な合成樹脂製シート状本体外周縁の一部または全部を描線用外周縁にすると共に、同シート状本体適所には、各種輪郭図形とした描線用孔縁付きの刳り貫き孔複数個を個々独立配置となるよう点在状に組み合わせ、肉厚方向に貫通形成し、それら描線用外周縁および各描線用孔縁の夫々には、当該シート状本体肉厚方向断面において、同一面がわに段差部を刻設したものとなし、描線対象物の平坦面だけではなく、一方向断面が曲線形で、それに直交する方向の断面が直線形をなす筒状面に対しても夫々密着状に変形、重ね合わせ可能とし、それら描線用外周縁および各描線用孔縁を案内として平坦面または二次曲面何れの面への直線または所望輪郭図形の描線が可能になるものとしたことを特徴とする製図用可撓テンプレート。
【請求項３】
一部または全部の複数個の刳り貫き孔が、互いに異なる文字・記号・符号を模った描線用孔縁付きの誘導文字・記号・符号孔複数個を個々独立配置となるよう配列、点在状に組合せ、肉厚方向に貫通形成し、それら誘導文字・記号・符号孔各描線用孔縁に個別にか、または、隣接する複数個の誘導文字・記号・符号孔各描線用孔縁を一括りに囲むかの何れかとするよう、当該シート状本体肉厚方向断面において、同一面がわに段差部を刻設してなるものとした、請求項１または２何れか一方記載の製図用可撓テンプレート。                                                                        
【考案の詳細な説明】
【技術分野】
【０００１】
この考案は、文房具や製図用具としての各種定規類に関連するものであり、特に、曲面や筒状面の外周壁面や内周壁面などに直線や曲線、各種の図形、文字、記号、符号などを描線、描画可能とする定規やテンプレートなどを製造、提供する分野は勿論のこと、その輸送、保管、組み立ておよび設置に必要となる設備、器具類を提供、販売する分野から、それら資材や機械装置、部品類に必要となる素材、例えば、木材、石材、各種繊維類、プラスチック、各種金属材料等を提供する分野、それらに組み込まれる電子部品やそれらを集積した制御関連機器の分野、各種計測器の分野、当該設備、器具を動かす動力機械の分野、そのエネルギーとなる電力やエネルギー源である電気、オイルの分野といった一般的に産業機械と総称されている分野、更には、それら設備、器具類を試験、研究したり、それらの展示、販売、輸出入に係わる分野、将又、それらの使用の結果やそれを造るための設備、器具類の運転に伴って発生するゴミ屑の回収、運搬等に係わる分野、それらゴミ屑を効率的に再利用するリサイクル分野などの外、現時点で想定できない新たな分野までと、関連しない技術分野はない程である。                                              
【背景技術】
【０００２】
（着目点）
従来の製図用テンプレートは、製図板や机などの平板上に貼着固定するなどした製図用紙に重ねるように載置し、該テンプレートの外周縁や図形状の孔縁などに沿って烏口や製図用万年筆などの各種製図ペン類を用いるなどして描線可能とするもので、製図用紙やノートなどの平坦面だけが描線の対象物となってきており、それ以外の、例えば、筒状面や錐状面、または波形などといった様々な立体の曲面に対する利用は全く不可能となっていて、これまでのところ、製図用テンプレートのそうした形態については、何等疑問視されることもなかったが、様々な製品が極めて潤沢に供給され、消費者の目も肥えていて個性的なデザインを求めるような時代になり、要求に応じて製造元でか、あるいは購入者自らにおいて、製品、即ち立体物に直接装飾を施すといった必要性も、かなり増えてきている。
【０００３】
（従来の技術）
（従来の技術）
こうした状況を反映し、その打開策となるような提案もこれまでに散見されない訳ではない。
例えば、下記の特許文献１（１）に提案されているものに代表されるように、渦巻き形状への弾性復帰力を有する可撓性帯状の弾性テープからなり、描線対象物に巻き付けるように接合し、曲面に沿って直線を引くことができるようにした直定規などや、同特許文献１（２）に見られるような、描線対象物であるパイプの外径以上の内径に設定した円筒体を有し、同円筒体外周に基準フランジを設け、同円筒体を前記描線対象物であるパイプ外周壁に、固定手段を介して装着し、パイプ中心線に直角に交叉する平面に一致する直線を同パイプの円筒外周壁面に沿って罫描くことができるようにしてなるものなどが散見される。
【０００４】
しかし、前者特許文献１（１）に示されているような直定規類は、直径の異なる様々な円筒外周壁面に周回り方向に沿って直線を描線したり、直線距離を計測したりするのに有効であるが、例えば、円形や三角形、四角形のような多角形などを描画するのに利用するのは非常に難儀な所作であり、また、特許文献１（２）の罫描き用の定規類は、予め規格などで規制されたパイプに対して罫描く作業には効率的であるが、直径の異なる複数種類のパイプに、そのまま利用することは殆ど不可能であり、さらに、様々な図形などを描くのには全く不向きであるという課題を残すものであった。                                                                                    
【特許文献１】（１）特開２００４−９０６０１号公報    （２）特開２００８−１７８９６６号公報
【考案の開示】
【考案が解決しようとする課題】
【０００５】
（問題意識）
上述してきたとおり、従前までに提案のあるそれら各種罫描き用定規類などは、何れもパイプや円柱形状などといった描線対象円筒体の外周壁面にあって、同円筒中心を通る断面と交叉する当該外周壁面上に、円筒中心に平行する直線を描線するには何等不具合が無いものの、円筒外周壁面の中心に所定の角度をもって斜めに交叉する断面が通る当該外周壁面上に直線を描線したり、各種図形などを描画したりするのには全く不向きであり、しかも、それら従来型のテンプレートやその他の定規類にあっては、不用意な落下や外力を加えて彎曲させるなどによって割れ、欠け、白化、塑性変形などを生じ易く、衝撃力などに対する耐久性が低いという致命的な欠点を有していたが、永年、様々な利用者に対して、柔軟に対応可能な軟質合成樹脂シート製品の開発、提供に携わってきており、既に、ゴルフボールにマーキングするためのテンプレートを完成、提供し続けてきている中、それらから得られた様々な知見、およびユーザーからの情報などに基づき、球体へのマーキングの他に、筒面や錐状面などにマーキング、および各種図形を描画可能な定規やテンプレートなどについても、更なる改善の可能性を痛感するに至ったものである。
【０００６】
（考案の目的）
そこで、この考案は、平坦面の外、筒面や錐状面などの内外壁面に各種形状のマーキングや描線、描画などを可能とする新たなテンプレート技術の開発はできないものかとの判断から、逸速くその開発、研究に着手し、長期に渡る試行錯誤と幾多の試作、実験とを繰り返してきた結果、今回、遂に新規な構造の製図用可撓テンプレートを実現化することに成功したものであり、以下では、図面に示すこの考案を代表する実施例と共に、その構成を詳述することとする。                                                                                                
【課題を解決するための手段】
【０００７】
（考案の構成）
図面に示すこの考案を代表する実施例からも明確に理解されるように、この考案の製図用可撓テンプレートは、基本的に次のような構成から成り立っている。
即ち、所定同一厚みの平板形状とした軟質合成樹脂製シート状本体外周縁の一部または全部を描線用外周縁にすると共に、同シート状本体適所には、各種輪郭図形とした描線用孔縁付きの刳り貫き孔複数個を個々独立配置となるよう点在状に組み合わせ、肉厚方向に貫通形成し、それら描線用外周縁および各描線用孔縁の夫々には、当該シート状本体肉厚方向断面において、同一面がわに段差部を刻設したものとなし、描線対象物の平坦面だけではなく、一方向断面が曲線形で、それに直交する方向の断面が直線形をなす筒状面に対しても夫々密着状に変形、重ね合わせ可能とし、それら描線用外周縁および各描線用孔縁を案内として平坦面または二次曲面何れの面への直線または所望輪郭図形の描線が可能になるものとした構成を要旨とする製図用可撓テンプレートである。
【０００８】
これを、より具体的には、所定同一厚みの平板形状とした軟質且つ透明な合成樹脂製シート状本体外周縁の一部または全部を描線用外周縁にすると共に、同シート状本体適所には、各種輪郭図形とした描線用孔縁付きの刳り貫き孔複数個を個々独立配置となるよう点在状に組み合わせ、肉厚方向に貫通形成し、それら描線用外周縁および各描線用孔縁の夫々には、当該シート状本体肉厚方向断面において、同一面がわに段差部を刻設したものとなし、描線対象物の平坦面だけではなく、一方向断面が曲線形で、それに直交する方向の断面が直線形をなす筒状面に対しても夫々密着状に変形、重ね合わせ可能とし、それら描線用外周縁および各描線用孔縁を案内として平坦面または二次曲面何れの面への直線または所望輪郭図形の描線が可能になるものとした構成からなる製図用可撓テンプレートと言うことができる。                                                                                                              
【考案の効果】
【０００９】
以上のとおり、この考案の製図用可撓テンプレートによれば、従前までのものとは違い、上記したとおりの固有の特徴ある構成から、従来型の硬質なテンプレートでは、描線対象物の平坦面にしか利用することができなかったが、平坦面だけではなく、一方向断面が曲線形で、それに直交する方向の断面が直線形をなす筒状面に対しても、密着状に変形させて重ね合わせ可能なものとなり、描線用外周縁および各描線用孔縁を案内として平坦面または二次曲面何れの面への直線または所望輪郭図形の描線が可能となり、その用途を大幅に拡大することができると共に、描線用外周縁および各描線用孔縁の夫々に刻設した段差部によって烏口や製図用万年筆などの各種製図ペン類のインクが滲むのを確実に防止できるものとなる上、軟質な素材製故、弾性許容範囲を超えた衝撃的外力を受けた場合などにも、従来品のような白化や塑性変形、割れ、欠けなどの破損の発生を未然に防ぐことが可能となり、格段に耐久性を高めたものとすることができるという秀れた特徴が得られるものである。
【００１０】
加えて、透明な合成樹脂製シート状本体からなる製図用可撓テンプレートは、描線対象物に密着状に変形、重ね合わせる場合に、描線対象物描線目標位置への描線用外周縁や各描線用孔縁の配置関係を、より正確且つ容易に透視確認可能となり、描線操作性と描線作業の効率とを格段に高めたものとすることができ、さらに、複数個の互いに異なる文字・記号・符号を模った描線用孔縁付きの誘導文字・記号・符号孔を個々独立配置となるよう配列、点在状に組合せ、肉厚方向に貫通形成してなるものは、描線対象物の平坦面だけでなく、二次曲面などに対しても、直線や曲線、図形などの他に、文字や記号、符号類も容易且つ効率的に描き込むことができるものになるという、従来品では全く実現化不可能であった効果を発揮するものとなる。                                                                                    
【考案を実施するための最良の形態】
【００１１】
上記したとおりの構成からなるこの考案の実施に際し、その最良もしくは望ましい形態について説明を加えることにする。
シート状本体は、一方向断面が曲線形で、それに直交する方向の断面が直線形をなす筒状面に対しても夫々密着状に変形、重ね合わせ可能で、平坦面または二次曲面何れの面への直線または所望輪郭図形の描線を可能とする機能を担うものであり、充分な柔軟性を有すると共に、定規として利用可能な程度の描線用縁部強度を確保可能なものとしなければならず、所定同一厚みの平板形状とした軟質合成樹脂製のものとし、該所定同一厚みとは、柔軟に変形可能で、しかも描線用に適した強度を確保可能な厚み寸法であって、軟質合成樹脂素材の弾性に応じて巾広く異なり、湾曲操作性や描線操作性などを考慮すると、例えば０．５ｍｍないし５ｍｍの厚み範囲内とするのが望ましく、後述する実施例に示すように、２．５ｍｍの同一厚みの平板形状とした軟質合成樹脂製で、外周縁の一部または全部を描線用外周縁とすると共に、適所に各種輪郭図形とした描線用孔縁付きの刳り貫き孔複数個を個々独立配置となるよう点在状に組み合わせ、肉厚方向に貫通形成してなるものとすることができ、描線対象物を透かし見ることができる程度に無色透明、または、有色透明なものとするのが望ましく、適所に、文字・記号・符号記入用となる描線用孔縁付きの誘導文字・記号孔複数個を個々独立配置となるよう配列、点在状に組合せ、肉厚方向に貫通形成してなるものとすることが可能である。
【００１２】
描線用外周縁は、シート状本体外周縁の一部または全部を描線に利用可能なものとする機能を担い、各種製図ペン類による描線に利用可能な程度に充分な強度を有するものとしなければならず、直線状、曲線状、ジグザグ状、波線状などの様々な形状とすることが可能であって、長さや角度を計測可能な各種目盛を表示したものとすることができ、さらに、外周縁の肉厚方向断面において、同一面がわにインク滲み防止用となる段差部を刻設したものとすることができる。
【００１３】
刳り貫き孔は、シート状本体の適所に、各種輪郭図形の描線用となる複数個の孔を形成可能とする機能を果たし、前記描線用外周縁と同様に、各種製図ペン類による描線に利用可能な程度に充分な強度を有する描線用孔縁を有するものとしなければならず、描線用孔縁には、当該シート状本体肉厚方向断面において、同一面がわに段差部を刻設したものとすべきであり、円形、楕円形、長円、三角形、四角形、菱形、平行四辺形、星型、ハート型、スペード型、矢印、文字・記号・符号など様々な図形を描画可能とする孔形状のものとすることができ、描線用孔縁適所に図形中心位置合わせ用の基準線を表示したものとするのが望ましい。
【００１４】
誘導文字・記号・符号孔は、シート状本体適所に、文字や記号、符号類の描線用となる複数個の孔を形成可能とする機能を果たし、各種製図ペン類による描線に利用可能な程度に充分な強度を有する描線用孔縁を有し、少なくとも文字・記号・符号の中の何れか一種の誘導用の孔からなるものとしなければならず、互いに異なる文字・記号・符号を模った描線用孔縁付きの刳り貫き孔複数個を個々独立配置となるよう配列、点在状に組合せ、肉厚方向に貫通形成したものとすべきであり、それら誘導文字・記号・符号孔各描線用孔縁に個別にか、または、隣接する複数個の誘導文字・記号・符号孔各描線用孔縁を一括りに囲むかの何れかとするよう、当該シート状本体肉厚方向断面において、同一面がわに段差部を刻設してなるものとするのが良い。
【００１５】
段差部は、シート状本体の描線用外周縁や刳り貫き孔、あるいは誘導文字・記号・符号孔の各描線用孔縁に沿って各種製図ペン類などを滑らすようにして描線する場合や、例えば、当該シート状本体をマスキングに利用し、スプレーや筆塗り塗装するなどといった場合などに、描線、描画、塗装対象物品とシート状本体との隙間に、インクが浸入して描線や図形、文字、記号、符号、塗装模などが滲んでしまうのを防止可能とするという機能を担うものであり、シート状本体の描線用外周縁や刳り貫き孔、誘導文字・記号・符号孔の各描線用孔縁と描線、描画、塗装対象物品との間に充分な空間を形成し、毛細管現象を伴ったインク浸入による滲みを防止可能とするものとしなければならず、後述する実施例に示すように、各刳り貫き孔や誘導文字・記号・符号孔夫々の描線用孔縁などの隣接する複数個同士を一括りに囲むよう、連続形成したものとすることが可能である。
以下では、図面に示すこの考案を代表する実施例と共に、その構造について詳述することとする。                                                                                                            
【実施例１】
【００１６】
図１の製図用可撓テンプレートの斜視図、図２の製図用可撓テンプレートの平面図、図３の使用中の製図用可撓テンプレートの斜視図、図４の平面描線に利用中の製図用可撓テンプレートの断面図、図５の凹状円筒面に利用中の製図用可撓テンプレートの断面図、および、図６の凸状円筒面に利用中の製図用可撓テンプレートの断面図に示す事例は、所定同一厚みの平板形状とした軟質合成樹脂製シート状本体２外周縁を描線用外周縁２０にすると共に、同シート状本体２適所には、描線用孔縁３１付きの刳り貫き孔３，３，……複数個を個々独立配置となるよう点在状に組み合わせ、肉厚方向に貫通形成し、且つ互いに異なる文字・記号・符号を模った描線用孔縁３１付きの誘導文字・記号・符号孔３０，３０，……複数個を個々独立配置となるよう配列、点在状に組合せ、肉厚方向に貫通形成し、それら描線用外周縁２０および各描線用孔縁３１，３１，……の夫々に段差部４を刻設してなるものとした、この考案の製図用可撓テンプレートにおける代表的な一実施例を示すものである。
【００１７】
それら各図に示す事例からも明確に把握できるとおり、この考案の製図用可撓テンプレート１は、２．５ｍｍの同一厚みの概略矩形平板状とした軟質且つ緑、黄色、赤、オレンジまたはその他の有色透明なポリエチレン、ポリプロピレン、ポリオレフィン、塩化ビニールまたはその他の合成樹脂素材の何れかの成型品であるシート状本体２からなり、図２のように、平面上に展開した場合の矩形状の１角を角面取り形状とし、これに隣接する他の１角を丸面取り形状とし、シート状本体２外周縁全部を直線状および円弧形状などの描線用外周縁２０に形成し、同描線用外周縁２０の適宜範囲に寸法目盛２１，２１を印刷表示すると共に、当該シート状本体２適所には、円、長円、三角形、正方形、長方形、菱形、矢印、若葉形など、夫々大中小の寸法設定のものを含むなどして各種輪郭図形とした描線用孔縁３１付きの刳り貫き孔３，３，……複数個を個々独立配置となるよう点在状に組み合わせ、肉厚方向に貫通形成し、図４ないし図６の図２中Ａ−Ａ線部分の断面図に示すように、それら描線用外周縁２０（図４ないし図６には図示せず）および各描線用孔縁３１，３１，……の夫々に、当該シート状本体２肉厚方向断面において、同一面がわに段差部４，４，……を刻設したものとし、図１および図２にあるとおり、各刳り貫き孔３，３，……は、各描線用孔縁３１の適所に、夫々の図形中心位置合わせ用の基準線３２，３２，……を印刷表示してなるものとしてある。
【００１８】
シート状本体２の下がわ描線用外周縁２０付近となる適所に貫通、形成した複数個の刳り貫き孔３，３，……は、アルファベットや英数字などの互いに異なる文字による文字列や、＋，−，＝，・，（，）などの数式用の各種記号や疑問符、感嘆符などの各種符号などを模った描線用孔縁３１，３１，……付きの誘導文字・記号・符号孔３０，３０，……複数個を個々独立配置となるよう配列、点在状に組合せ、肉厚方向に貫通形成し、それら誘導文字・記号・符号孔３０，３０，……各描線用孔縁３１，３１，……に、横並びに隣接する複数個毎の誘導文字・記号・符号孔３０，３０，……各描線用孔縁３１，３１，……を一括りに囲むよう夫々、当該シート状本体２肉厚方向断面において、同一面がわに段差部４，４，……を刻設してなるものとしてある。
【００１９】
（実施例１の作用・効果）
以上のとおりの構成からなるこの考案の製図用可撓テンプレート１は、図２に示してあるとおり、平板形状のまま描線に利用することが可能であり、図４のように、烏口６を用いて描線する場合に、刳り貫き孔３描線用孔縁３１の段差部４が、インクの滲みを防止可能とするものとなり、また、図１に示すように、柔軟に湾曲させた形状のまま描線に利用することが可能となり、例えば、図３のとおり、波状曲面形の描線対象物５の形状に沿って柔軟に変形させ、重ね合わせてテンプレートとして利用することが可能であり、例えば図５および図６に示してあるように、凹・凸各筒面状の曲面に沿って正確に描線可能であり、これらの場合にも、刳り貫き孔３描線用孔縁３１の段差部４が、インクの滲みを防止可能なものとなり、さらに、各描線用外周縁２０（図４ないし図６に図示せず）を利用して平坦面または二次曲面何れの面への直線や曲線を描線可能である。
【００２０】
加えて、図１ないし図３に示してあるとおり、描線用外周縁２０の寸法目盛２１，２１を利用して、平坦面や筒面状や波形状などといった二次曲面上の長さを採寸したり、正確な長さの描線などを可能とし、また、各刳り貫き孔３……の描線用孔縁３１の各基準線３２，３２，……を描線対象物５上の図示しない基準線に一致させて描線するようにすると、平坦面や筒面状や波形状などの二次曲面上の目標位置に一段と正確に描線することが容易になるという利点が得られる。
【００２１】
（結  び）
叙述の如く、この考案の製図用可撓テンプレートは、その新規な構成によって所期の目的を遍く達成可能とするものであり、しかも製造も容易で、従前からのテンプレート技術に比較して大幅に耐久強度を高め、遙かに破損し難く、経年劣化も少なく格段に経済的なものとすることができる上、二次曲面への描線作業性を大幅に改善し得るものとなることから、従前までは平坦面のみしか描線できず、描線対象立体物の二次曲面に対する描線が全く不可能であって、応用範囲の拡大が阻まれていたテンプレートのユーザーや、製図用具業界および事務用品業界といった専門業者は固よりのこと、様々な描線対象物に直線や曲線、図形、文字、記号、符号などを直接自由に描いて個性的なデザインを指向する一般学生や一般消費者、更にはデザイン業界などにおいても高く評価され、広範に渡って利用、普及していくものになると予想される。                                                
【図面の簡単な説明】
【００２２】
図面は、この考案の製図用可撓テンプレートの技術的思想を具現化した代表的な一実施例を示すものである。
【図１】製図用可撓テンプレートを示す斜視図である。
【図２】製図用可撓テンプレートを示す平面図である。
【図３】使用中の製図用可撓テンプレートを示す斜視図である。
【図４】平面描線に利用中の製図用可撓テンプレートを示す断面図である。
【図５】凹状円筒面に利用中の製図用可撓テンプレートを示す断面図である。
【図６】凸状円筒面に利用中の製図用可撓テンプレートを示す断面図である。
【符号の説明】
【００２３】
１      製図用可撓テンプレート
２      シート状本体
２０    同  描線用外周縁
２１    同  寸法目盛
３      刳り貫き孔
３０    同  誘導文字・記号・符号孔
３１    同  描線用孔縁
３２    同  基準線
４      段差部
５      描線対象物
６      烏口                                                                                              
【図１】
0003167380.tif 000003
【図２】
0003167380.tif 000004
【図３】
0003167380.tif 000005
【図４】
0003167380.tif 000006
【図５】
0003167380.tif 000007
【図６】
0003167380.tif 000008